(57)【要約】【課題】割安なコスト負担のもとに重要機器の収納用キャビネットの防犯性を高めることができるパネル用ラッチ装置を提供する。【解決手段】パネル１に固着されるケース２にラッチ体３を移動可能に収容し、本体フレーム４側のラッチ受部５に係合する方向にラッチ体３をバネ部材６によって移動付勢し、パネル１の裏側からケース２の保持孔７に着脱されるロックピン８によって、ラッチ体３が開錠位置に移動するのを阻止する。パネル１を本体フレーム４から取外すには、ロックピン８をケース２から引き抜く。【選択図】    図３
2004251055.tif 000002
【特許請求の範囲】
【請求項１】
パネル１に固着されるケース２にラッチ体３を移動可能に収容し、本体フレーム４側のラッチ受部５に係合する方向にラッチ体３をバネ部材６によって移動付勢し、パネル１の裏側からケース２の保持孔７に着脱されるロックピン８によって、ラッチ体３が解錠位置に移動するのを阻止するようにしたパネル用ラッチ装置。
【発明の詳細な説明】
【０００１】
【発明の属する技術分野】本発明は、キャビネットの側壁用パネルを本体フレームに取付けるとき等に使用されるパネル用ラッチ装置に関するものである。
【０００２】
【従来の技術】住民基本台帳ネットワークのデータや銀行の顧客口座データなどを保存したサーバーコンピュータは、データセンターの構内に設備されたサーバーラックに懸架されている。このサーバーラックは正当権限者以外の者によるアクセスを禁止するためにキャビネット内に格納されている。
【０００３】
図６に示したように機器の収納設置や機器の保守点検の作業を考慮してキャビネット３０には、正面扉と背面扉および左右２枚の側面扉が設けられている。正面扉を構成するパネル３１の一側辺にはヒンジ３２が取付けられ、パネル３１はヒンジ３２によってキャビネットの本体フレーム３３に対して開閉自在に装着されている。パネル３１の反対側辺には、パネル３１を本体フレーム３３に対して開閉不能に錠止するために、シリンダー錠等の本格的錠機構３４を具備した扉用ロックハンドル装置３５が装着されている（例えば特許文献１参照）。背面扉を構成するパネル４７も同様な構成によって本体フレーム３３に装着され、開閉不能に錠止される。
【０００４】
図７に示したように左側の側面扉を構成するパネル３６の下側辺には、組付けピン３７が下向きに設けられ、組付けピン３７は本体フレーム３３に形成した組付け孔３８に上方から挿入される。パネル３６の上側辺には、２個のパネル用ラッチ装置３９が装着されている。このラッチ装置３９は、パネル３６に固着されるケース４０にラッチ体４１を移動可能に収容し、本体フレーム３３側のラッチ受部４２に係合する方向にラッチ体４１をバネ部材４３によって移動付勢したものである（例えば特許文献２参照）。右側の側面扉を構成するパネル４８も同様な構成によって本体フレーム３３に装着される。
【０００５】
このように構成されたキャビネットでは、格納機器４６の点検修理などのために側面扉を開放したい場合には、パネル３６の表側からラッチ体４１を解錠位置へ移動操作することによって、本体フレームに対するパネル３６の上側辺の拘束を解除した後、パネル３６を若干斜め上方に引き上げ、組付けピン３７を組付け孔３８から脱出させ、パネル３６を本体フレーム３３から抜き取る。
【０００６】
前記ラッチ装置３９は簡易構造のものであり、鍵を使用する本格的錠機構を備えていないため、誰でにもパネル３６の表側からラッチ体４１を操作して簡単に側面扉を開放することができる。そのため、情報データの漏洩問題が懸念される施設では、図８に示したように鍵４４を使用するシリンダー錠４５等の本格的錠機構を側面扉のパネル３６にも附設することが行われている。
しかしながら、本格的錠機構は比較的高価であるため、本格的錠機構の附設はキャビネット全体の設備コストを増加させることになり、また、その鍵管理の負担を伴うものである。
【０００７】
【発明が解決しようとする課題】したがって本発明の目的は、割安なコスト負担のもとに重要機器の収納用キャビネットの防犯性を高めることができるパネル用ラッチ装置を提供することである。
【０００８】
【課題を解決するための手段】上記課題を解決するため本発明のパネル用ラッチ装置では、パネル１に固着されるケース２にラッチ体３を移動可能に収容し、本体フレーム４側のラッチ受部５に係合する方向にラッチ体３をバネ部材６によって移動付勢し、パネル１の裏側からケース２の保持孔７に着脱されるロックピン８によって、ラッチ体３が開錠位置に移動するのを阻止する。
【０００９】
【発明の作用】例えば前記したように正面扉と背面扉と左右の側面扉によって四つの側面が構成されたキャビネット９に対して、本発明のパネル用ラッチ装置を使用した場合について説明する。
図３に示したようにラッチ体３の先端部が本体フレーム４側のラッチ受部５に係合することによって、左側の側面扉を構成するパネル１がキャビネット９の本体フレーム４に対して開閉不能に拘束されている状態では、ロックピン８はケース２の保持孔７に挿入保持されており、ラッチ体３が解錠位置へと後退移動するのを阻止している。
【００１０】
格納機器１０の保守点検等のために左側の側面扉を取外してキャビネット８の左側面を開放したいときには、正面扉を構成するパネル１１または背面扉を構成するパネル１２に装備された扉用ロックハンドル装置１３を解錠操作した後、ヒンジ１４を中心としてパネル１１またはパネル１２を開放回転させる。
このようにして閉塞を解かれたキャビネット９の正面開口部または背面開口部から手を差し入れて、ロックピン８をケース２の保持孔７から抜き取る。
【００１１】
ロックピン８の抜き取りによって障害物が無くなるから、パネル１の表側からラッチ体３を移動操作することによって、ラッチ体３は先端部がラッチ受部５より離脱する解錠位置まで後退移動することができる。上側辺における本体フレーム４に対する拘束を解除されたパネル１は、本体フレーム４から抜き取られ、キャビネット９の左側面開口部が全面開放される。
【００１２】
右側の側面扉を構成するパネル１５にも本発明のパネル用ラッチを適用したときには、同様にしてパネル１５が本体フレーム４に拘束され、必要に応じて本体フレーム４から取外される。
【００１３】
【発明の実施の形態】図示の実施例では、図１に示したように正面扉を構成するパネル１１の一側辺にはヒンジ１４が取付けられ、パネル１１はヒンジ１４によってキャビネット９の本体フレーム４に対して開閉自在に装着されている。パネル１１の反対側辺には、パネル１１を本体フレーム４に対して開閉不能に錠止するために、シリンダー錠よりなる本格的錠機構１６を内蔵した扉用ロックハンドル装置１３が装着されている。背面扉を構成するパネル１２にも同様にヒンジ１４と扉用ロックハンドル装置１３が装備されている。
【００１４】
図２に示したように左側の側面扉を構成するパネル１の下側辺には組付けピン１７が下向きに設けられ、組付けピン１７は本体フレーム４側に形成した組付け孔１８に上方から挿入される。パネル１の上側辺には、本発明のパネル用ラッチ装置が２個装着されている。
このパネル用ラッチ装置の詳細な構造と作動は次の通りである。
【００１５】
ケース２にラッチ体３を摺動可能に収容し、ラッチ受部５に係合する方向にラッチ体３を圧縮コイルバネよりなるバネ部材６によって摺動付勢し、ラッチ体３の前面の割溝部１９にキープレバー２０を収容し、キープレバー２０を先端部２１が割溝部１９に没入する方向にバネ部材６によって回転付勢し、キープレバー２０の操作部２２をケース２の前面の溝孔２３に嵌め入れてある。
【００１６】
パネル１が開放されているとき、ラッチ体３は先端部がケース２から突出し、キープレバー２０の先端部２１はラッチ体３の割溝部１９内に収納されている。
パネル１が下側辺を中心に閉鎖方向に回転させられると、ラッチ体３の先端部のカム斜面３ａがラッチ受部５の前面側縁面によって押されるため、ラッチ体３はバネ部材６の付勢に抗してケース２内に一旦後退する。
【００１７】
パネル１が全閉位置まで回転した瞬間にラッチ体３はバネ部材６の摺動付勢によってケース２から突出し、図３に示したようにラッチ受部５の背面側に係合し、パネル１を本体フレーム４に対して錠止する。この施錠位置においては、バネ部材６の回転付勢によってキープレバー２０の先端部２１はラッチ体３の割溝部１９に収納された状態に保持されている。
【００１８】
パネル１の表側からケース２の溝孔２３に指先を入れ、キープレバー２０の操作部２２の腹面を押すと、キープレバー２０とラッチ体３が一体的に後退摺動する。ラッチ体３の先端部及びキープレバー２０の先端部２１がラッチ受部５の背面から離脱した瞬間に、キープレバー２０がラッチ体３に対して若干回転して停止する。この段階で操作部２２から指を離すと、キープレバー２０の先端部２１の端面２１ａがラッチ受部５の端面５ａに突き当たり、この突き当たり状態がバネ部材６の付勢によって保持される。
【００１９】
このようにして当該ラッチ装置を解錠位置にキープレバー２０によって保持した状態で他のラッチ装置について同様の解錠操作を行う。全てのラッチ装置を解錠位置に保持した後、パネル１を手前に引くことによって、図５に示したようにパネル１が取外される。本例では、複数のラッチ装置の解錠操作は、先行解錠したラッチ装置が再施錠される危険性なしに、安定した状態で的確に行える。
【００２０】
ロックピン８が嵌挿される保持孔７はケース２の背面壁部２４に形成されており、ロックピン８にはコーン状の摘み部２５が基端部に形成されている。ラッチ体３の背面壁部の透孔２６から差し込まれるロックピン８の先端部には、テーパ−面２７ａを外周面に有する拡大頭部２７が形成されている。拡大頭部２７の根元部には抜け止め鍔部２８が形成されている。摘み部２５の基部にはラッチ体３の背面に当接する位置決め座面２９が形成されている。ロックピン８は保持孔７の内面との適度な弾性係合と、バネ部材６の付勢による側圧によって、ケース２に安定に保持される。
【００２１】
ロックピン８はケース２から抜き取った後、紛失しないように紐やワイヤーあるいは鎖部材４９によってケース２に連結されている。
なお、上記実施例ではラッチ体３は直線摺動する摺動ラッチであるが、ケース２に定着された枢軸を中心に回転する回転ラッチであっても良い。
また、ロックピン８の保持孔７は、ケース２の背面壁部でなく、側面壁部に形成することもでき、ロックピン８の差し込み方向は特に限定されない。
【００２２】
【発明の効果】以上のように本発明のパネル用ラッチ装置では、ケース２にラッチ体３を移動可能に収容し、本体フレーム４側のラッチ受部５に係合する方向にラッチ体３をバネ部材６で移動付勢し、パネル１の裏側からケース２に着脱されるロックピン７によって、ラッチ体３が解錠位置に移動するのを阻止したので、鍵を使用する本格的な錠機構を附設使用することなく、割安なコスト負担のもとに重要機器の収納用キャビネットの防犯性を高めることができる。
【図面の簡単な説明】
【図１】本発明の一実施例に係るパネル用ラッチ装置を使用したサーバーラック用キャビネットの斜視図である。
【図２】図１のキャビネットにおける左側の側面扉部分の縦断面図である。
【図３】図２の側面扉の上側辺に装着したラッチ装置の施錠状態の縦断面図である。
【図４】図３のラッチ装置においてロックピンを引き抜いた状態の縦断面図である。
【図５】図３のラッチ装置においてパネルが手前に回転した状態の縦断面図である。
【図６】従来のラッチ装置を使用したサーバーラック用キャビネットの斜視図である。
【図７】図６のキャビネットにおける左側の側面扉部分の縦断面図である。
【図８】従来の別のキャビネットの斜視図である。
【符号の説明】
１  パネル
２  ケース
３  ラッチ体
４  本体フレーム
５  ラッチ受部
６  バネ部材
７  保持孔
８  ロックピン
【図１】
2004251055.tif 000003
【図２】
2004251055.tif 000004
【図３】
2004251055.tif 000005
【図４】
2004251055.tif 000006
【図５】
2004251055.tif 000007
【図６】
2004251055.tif 000008
【図７】
2004251055.tif 000009
【図８】
2004251055.tif 000010